(57)【特許請求の範囲】
【請求項１】
地組織を編成する地筬より編機前側に柄筬を設ける多枚筬経編機により編成される経編レース地であって、地組織より経編レース地表側に配される特殊浮柄用糸と、該特殊浮柄用糸を経編レース地に保持する役割の保持用糸とからなるライン状の特殊浮柄の部分を少なくとも一部に有してなり、前記特殊浮柄の部分では、前記保持用糸が前記特殊浮柄用糸より経編レース地表側に配され前記特殊浮柄用糸に沿って地組織に編み込まれて前記特殊浮柄用糸を押さえつけることで、前記特殊浮柄用糸は、地組織に編み込まれることなく経編レース地に保持されることを特徴とする経編レース地。
【請求項２】
前記特殊浮柄用糸の太さは、地組織を編成する地糸の太さの２０倍以上である請求項１に記載の経編レース地。
【請求項３】
前記特殊浮柄用糸の太さは、前記保持用糸の太さの７倍以上である請求項１又は２に記載の経編レース地。
【請求項４】
前記保持用糸が、前記地組織を編成する地筬により導糸される地糸よりも溶融温度が低い熱融着性糸である請求項１〜３のいずれか１項に記載の経編レース地。
【請求項５】
地組織を編成する地筬より編機前側に設けた柄筬により導糸される浮柄糸が、落下板により地組織に挿入されて編み込まれてなる請求項１〜４のいずれか１項に記載の経編レース地。
【請求項６】
前記特殊浮柄用糸が、前記保持用糸にて押さえつけられることなく、地組織に編み込まれている部分を少なくとも一部に有してなる請求項１〜５のいずれか１項に記載の経編レース地。
【発明の詳細な説明】
【技術分野】
【０００１】
本発明は、主に女性用下着やアウター等の各種衣料に使用され、地組織を編成する地筬よりも編機前側に柄筬を設ける多枚筬経編機により編成されてなる経編レース地に関するものである。
【背景技術】
【０００２】
柄糸を鎖編やチュール編などの地組織より経編レース地表側に配し、柄糸が浮いたような浮柄の経編レース地があり、地組織を編成する地筬より編機前側に柄筬を設ける多枚筬経編機により編まれる。このような地組織より経編レース地表側に浮く柄糸のことを浮柄糸という。
【０００３】
従来より、浮柄を形成するにはいくつかの編成方法（編機）がある。第１の方法は、浮柄糸がオーバーラップし編目を形成して地組織に編み込まれる方法である。第２の方法は、落下板付きの経編機にて編成する方法で、浮柄糸がオーバーラップし編目を形成した後、落下板にて編目を外すことで挿入組織に変わり（フォールプレートラップ）、地組織に編み込まれる。第３の方法は、特許文献１に記載の編成方法で、浮柄糸は落下板を使わずにフォールプレートラップを形成し地組織に挿入され編み込まれる。
【特許文献１】特開平６−２３５１５１号公報
【発明の開示】
【発明が解決しようとする課題】
【０００４】
従来の第１の方法は、図８及び図９に示すように、地組織を編成する地糸１より経編レース地表側に配される浮柄糸２は編目を形成するため、繊度の大きい太い糸を浮柄糸２に使用すると編成が困難である。従来の第２と第３の方法は、図８及び図１０に示すように、浮柄糸２はフォールプレートラップの挿入組織であるため、従来の第１の方法の編目を形成する編成方法と比較すると、浮柄糸２に繊度の大きい太い糸を使用できるが、地組織を編成する地糸１に対して極端に糸が太いと、やはり編成が困難になる。地組織に編み込まれる点は、編目形成であっても挿入であっても同じだからである。尚、従来の第１の方法と第２及び第３の方法は、それぞれ図９と図１０で示すように、編目形成とフォールプレートラップの違いがあるが、ラッピング状態を表す組織図上の表記は同じとなり、図８のみで表すことができる。
【０００５】
また、これら従来の第１乃至第３の編成方法では、浮柄糸２を使ってライン状の柄を表現しようとすると、地組織に編み込まれる部分が目立ってしまいジグザグに見えるため、きれいなラインを表現できないでいた。さらに、編み込まれた浮柄糸２によりレース裏面の肌触りを悪くしていた。
【課題を解決するための手段】
【０００６】
本発明は、上記に鑑みてなしたものであり、地組織に編み込まれない柄糸を経編レース地表側に配し、今までにないライン状の浮柄を設けるものである。
【０００７】
本発明に係る経編レース地は、地組織を編成する地筬より編機前側に柄筬を設ける多枚筬経編機により編成される経編レース地であって、地組織より経編レース地表側に配される特殊浮柄用糸と、特殊浮柄用糸を経編レース地に保持する役割の保持用糸とからなるライン状の特殊浮柄の部分を少なくとも一部に有してなり、特殊浮柄の部分では、保持用糸が特殊浮柄用糸より経編レース地表側に配され特殊浮柄用糸に沿って地組織に編み込まれて特殊浮柄用糸を押さえつけることで、特殊浮柄用糸は、地組織に編み込まれることなく経編レース地に保持されることを特徴とする。
【０００８】
特殊浮柄は従来の浮柄とは違い、特殊浮柄の部分の特殊浮柄用糸は地組織に編み込まれないため、単独では地組織から離れてしまうのだが、浮柄糸の一種である保持用糸を特殊浮柄用糸の表側に配し、地組織に編み込んで特殊浮柄用糸を上から押さえつけることで、特殊浮柄用糸を地組織に止定し経編レース地上に保持した状態とする。
【０００９】
また、特殊浮柄用糸の太さは、地組織を編成する地糸の太さの２０倍以上であることが好ましい。特殊浮柄用糸は、特殊浮柄の部分では地糸に編み込まれないので、地糸が細い場合でも極端に太い糸を浮柄用に使えるようになるため、できるだけ地糸より太い糸を使う方が、特殊浮柄が目立つ。
【００１０】
また、特殊浮柄用糸の太さは、保持用糸の太さの７倍以上であることが好ましい。保持用糸は、特殊浮柄用糸を上から押さえつけることが目的であるので、特殊浮柄用糸によるライン状の特殊浮柄を邪魔しないように、繊度は目的を達成できる範囲の中で小さい方が良く、逆に特殊浮柄用糸は目立つように、保持用糸と比べて十分に繊度が大きい方が良い。
【００１１】
また、保持用糸が、地組織を編成する地筬により導糸される地糸よりも溶融温度が低い熱融着性糸であっても良い。この場合、低融点の保持用糸を熱により溶融し地糸と特殊浮柄用糸に融着することで、特殊浮柄用糸が経編レース地に、より強力に保持される。
【００１２】
また、地組織を編成する地筬より編機前側に設けた柄筬により導糸される浮柄糸が、落下板により地組織に挿入されて編み込まれていることが好ましい。特殊浮柄だけでなく通常の浮柄も有する経編レース地を編成する場合、太い浮柄糸を使用するには、編目を形成して地組織に編み込まれるよりも、落下板による挿入組織にて地組織に編み込まれる方が、編成のし易さからみて望ましい。
【００１３】
また、特殊浮柄用糸が、保持用糸にて押さえつけられることなく、自らが地組織に編み込まれている部分を少なくとも一部に有していても良い。この場合、特殊浮柄用糸は、通常の挿入組織の動きであり保持用糸にて地組織に押さえつけられる特殊浮柄の部分と、保持用糸と同じように編目形成組織にて、あるいは、落下板による挿入組織にて地組織に編み込まれる通常の浮柄部分とを、同じ糸にて形成することになる。
【発明の効果】
【００１４】
上記したように本発明の経編レース地は、地組織より経編レース地表側に配される特殊浮柄用糸と、特殊浮柄用糸を経編レース地に保持する役割の保持用糸とからなるライン状の特殊浮柄の部分を少なくとも一部に有してなり、特殊浮柄の部分では、保持用糸が特殊浮柄用糸より経編レース地表側に配され特殊浮柄用糸に沿って地組織に編み込まれて特殊浮柄用糸を押さえつけることで、特殊浮柄用糸は、地組織に編み込まれることなく経編レース地に保持される。本発明により、従来では編成が困難な繊度の大きい太い糸を浮柄として使用可能になり、きれいなラインを表現でき、肌触りも良好なものとすることができる。
【発明を実施するための最良の形態】
【００１５】
次に、本発明の実施の形態を図面に示す実施例に基づいて説明するが、本発明は実施例のものには限定されることはなく、特許請求範囲を逸脱しない範囲において種々の実施が可能である。
【００１６】
本発明にかかる経編レース地Ａは、地組織を編成する１枚以上の地筬のほかに、柄編成のための複数毎、多い場合は数十枚もしくはそれ以上の柄筬を、地筬より編機前側に備えた経編機により編成される。
【００１７】
図１は、本発明の第１実施例の経編レース地を示す拡大平面図である。図２は同上の経編レース地のラッピング状態を示す組織図である。図３は同上の経編レース地の編組織を示す図である。
【００１８】
この経編レース地Ａは、地組織を編成する地糸１として３３ｄｔｅｘのナイロン糸を用い、特殊浮柄用糸３として９４０ｄｔｅｘのポリウレタン糸に５０１ｄｔｅｘのカチオン可染性ポリエステル糸をダブルカバーリングしたコード糸を用い、保持用糸４として５６ｄｔｅｘのカチオン可染性ポリエステル糸を用いて、ライン状の特殊浮柄５を設けた。その他、浮柄糸と、地糸より後ろ側に配される通常の柄糸と、ジャカード糸と伸縮糸も用いて編成しているが、図が見づらくなるため図示していない。
【００１９】
図１に示すように、特殊浮柄用糸３は、他の糸と比べてはるかに太く（繊度が大きく）、地組織より浮き上がり目立っている。特殊浮柄用糸３は、１９４２（９４０＋５０１＋５０１）ｄｔｅｘであり、地糸１の３３ｄｔｅｘの２０倍以上の太さである。また、特殊浮柄用糸３と保持用糸４は同じ種類の糸であり地糸１とは別の種類の糸を使用している。特殊浮柄用糸３と保持用糸４を同じ色に染め、地糸１を別の色に染めることで、特殊浮柄５がより目立つ。また、特殊浮柄用糸３は１９４２ｄｔｅｘであり、保持用糸４の５６ｄｔｅｘの７倍以上の太さであり、保持用糸４は特殊浮柄用糸３より極めて細いので、図１においてはその存在が明確に判別できないほどであり、それだけ特殊浮柄５をきれいに表現できる。なお、従来よりある通常の浮柄６も、別の浮柄糸にてこの経編レース地Ａに形成されている。
【００２０】
本発明の第１実施例の経編レース地を編成する経編機には、特殊浮柄用糸３や保持用糸４などを導糸する柄筬と、地糸１を導糸する地筬との間に、落下板が設けられている。各糸の配列順は、経編機前側より、保持用糸４、特殊浮柄用糸３、地糸１となる。落下板の作用により、地糸１より表側で編目を形成する保持用糸４は、挿入組織（フォールプレートラップ）に変わる。これは保持用糸４が、図２の、糸の動きを示すラッピング組織図では編目を形成しているが、図３の、実物に近い編組織図ではフォールプレートラップで地糸１に挿入されていることで理解できよう。
【００２１】
図３に示すように、保持用糸４は、地糸１にフォールプレートラップにて挿入されて経編レース地Ａに編み込まれている。一方、特殊浮柄用糸３は、通常の経挿入の動きをしているが、地糸１には挿入されず保持用糸４と地糸１の間に挟みこまれることで、経編レース地Ａに保持された格好となる。これは、編目形成糸（地糸１）より経編機前側の挿入糸（特殊浮柄用糸３）は、編目形成糸（地糸１）に編み込まれないからである。保持用糸４は、編目形成糸（地糸１）より経編機前側に配されるが、通常の挿入組織ではなくフォールプレートラップであるので、編目形成糸（地糸１）に編み込まれる。そして、挿入糸（特殊浮柄用糸３）は、編目形成糸（地糸１）とフォールプレートラップ糸（保持用糸４）の間に挟みこまれる。
【００２２】
本発明の第１実施例である図２及び図３の特殊浮柄用糸３と、図８及び図１０に図示する従来の方法である、地糸１にフォールプレートラップにより編み込まれる浮柄糸２とを比較するとはっきりするが、図２及び図３の特殊浮柄用糸３の方が糸の動きがシンプルであるので、太い糸を使用しても編成が容易である。また、同じ理由からライン状の表現もきれいである。更に、図３で示すように、細い保持用糸４は地糸１のシンカーループ７の裏側を通る箇所があるにしても、太い特殊浮柄用糸３は地糸１のシンカーループ７の裏側を通らないのに対し、図１０で示すように従来の方法は、太い浮柄糸２は地糸１のシンカーループ７の裏側を通る箇所があるため、本発明の方が経編レース地裏面における肌触りが良好である。
【００２３】
なお、特殊浮柄用糸３が同一コースで大きく横に移行する場合は、１本の保持用糸４では十分に特殊浮柄用糸３を押さえつけられない場合があるので、特殊浮柄用糸３の同一コースでの横移行は、３ウエール間までが好ましい。
【００２４】
図４は、本発明の第２実施例の経編レース地の編組織図である。この実施例のラッピング状態を示す組織図は図２である。この実施例は、保持用糸４が第１実施例では行なう、落下板によるフォールプレートラップを行なわず、編目を形成する点のみが第１実施例と相違する。
【００２５】
各糸の配列順は、経編機前側より、保持用糸４、特殊浮柄用糸３、地糸１となる。保持用糸４は、地糸１と同様に編目を形成して、地糸１に編み込まれている。特殊浮柄用糸３は、地糸１には挿入されず保持用糸４の方に挿入される。これは、編目形成糸（地糸１）より経編機前側の挿入糸（特殊浮柄用糸３）は、編目形成糸に編み込まれないからである。挿入糸（特殊浮柄用糸３）は、編機前側の編目形成糸（保持用糸４）により編み込まれる。
【００２６】
本発明の第２実施例である図２及び図４の特殊浮柄用糸３と、図８及び図９に図示する従来の方法である、地糸１に編目を形成して編み込まれる浮柄糸２とを比較するとはっきりするが、図２及び図４の特殊浮柄用糸３の方が糸の動きがシンプルであるので、太い糸を使用しても編成が容易である。また、同じ理由からライン状の表現もきれいである。更に、図４で示すように、細い保持用糸４は地糸１のシンカーループ７の裏側を通る箇所があるにしても、太い特殊浮柄用糸３は地糸１のシンカーループ７の裏側を通らないのに対し、図９で示すように従来の方法は、太い浮柄糸２は地糸１のシンカーループ７の裏側を通る箇所があるため、本発明の方が経編レース地裏面における肌触りが良好である。
【００２７】
これら実施例においては、経編機としてはカールマイヤー社製ラッシェル機（ＭＲＳEＪＦ５４／１／２４、２４ゲージ）を用いた。第２実施例では、落下板が作用しないように設定した。保持用糸は特殊浮柄用糸と同じ種類のカチオン可染性ポリエステル糸を使用したが、特殊浮柄用糸とは違う種類の糸でも良い。また、保持用糸は、地糸より低融点の熱融着性糸であっても良く、例えば、溶融温度が１６０℃で繊度が５６ｄｔｅｘの低融点ナイロン糸でも良い。特殊浮柄用糸は、コード糸である必要はなく、例えば２３５ｄｔｅｘのナイロン糸を３本撚りした糸でも良く、リボンのように幅の広い扁平なものでも可能である。但し、伸縮性のある経編レース地にて特殊浮柄を設ける場合は、特殊浮柄用糸もある程度伸縮性があった方が、特殊浮柄のラインがきれいになる。また、特殊浮柄用糸は常に連続して経編レース地に保持される必要はなく、保持用糸で押さえられない部分を作ることも、その部分の特殊浮柄用糸をシャーリング機などで切除することもできる。更に、特殊浮柄用糸が、保持用糸にて押さえつけられて経編レース地に保持されている特殊浮柄の部分と、保持用糸に押さえつけられずとも特殊浮柄用糸のみで地糸に編み込まれる組織にて編み込まれる通常の浮柄の部分を、同じ特殊浮柄用糸にて形成しても良い。
【００２８】
図５は、本発明の特殊浮柄用糸の組織のバリエーションを示しており、保持用糸も表しているが、地組織を形成する地糸など他の糸は図が見づらくなるため図示していない。特殊浮柄用糸は、実線で示す３ａと点線で示す３ｂの２本である。特殊浮柄となる部分８では、特殊浮柄用糸３ａと３ｂは同一ウエールに沿う通常の経挿入の動きであり、保持用糸４にて押さえつけられて経編レース地に保持されている。同じ動きの特殊浮柄用糸２本を１本の保持用糸で押さえつけているが、それぞれの糸の本数を編成可能な限り変更しても良い。特殊浮柄用糸３ａと３ｂが保持用糸４にて押さえつけられていない遊離部分９では、地組織に編み込まれず遊離した状態となる。この遊離した特殊浮柄用糸３ａと３ｂを、編成後にシャーリング機により切除する。特殊浮柄用糸３ａと３ｂが通常の浮柄となる部分１０では、特殊浮柄用糸３ａと３ｂは保持用糸４によって押さえつけられる必要が無く、自らのフォールプレートラップにより地組織に編み込まれる。特殊浮柄用糸３ａと３ｂは、フォールプレートラップでなく編目を形成しても良いが、どちらにしても同じ特殊浮柄用糸で特殊浮柄部分８と通常の浮柄部分１０の両方を形成する場合は、両方で編成可能な繊度の糸を使う必要がある。
【００２９】
保持用糸は、常に同じ糸で同じ特殊浮柄用糸を押さえる必要はなく、保持する対象の特殊浮柄用糸を編成途中で随時変えても良く、複数の保持用糸で１本の特殊浮柄用糸を押さえつけても良く、特殊浮柄用糸を保持する必要のない箇所では浮柄を形成しても良い。
【００３０】
図６は、本発明の経編レース地Ａを、ショーツの前身頃部１１と後身頃部１２に使用した例を示している。特殊浮柄用糸と保持用糸による特殊浮柄５が、ライン状に配された経編レース地による衣料である。
【００３１】
図７は、本発明の経編レース地Ａを、ブラジャーのカップ部１３に使用した例を示している。カップ部１３の上部の柄は、図５の特殊浮柄部分８と同様な特殊浮柄５ａと、図５の通常浮柄部分１０と同様な浮柄６ａとからなっている。カップ１３の中央部の柄は、図５の特殊浮柄部分８と同様な特殊浮柄５ｂからなる。特殊浮柄５ｂのラインが途切れている箇所は、図５の遊離部分９と同じように、特殊浮柄用糸を地組織より遊離させシャーリング機により遊離した箇所を切除している箇所である。カップ部１３下部の柄は、複数の特殊浮柄用糸により、図５の特殊浮柄部分８と同様な特殊浮柄５ｃと、図５の通常浮柄部分１０と同様な浮柄６ｃとからなっている。特殊浮柄５ｃから浮柄６ｃに変わる箇所では、一部の特殊浮柄用糸を地組織から遊離させ、図５の遊離部分９と同様にシャーリング機により切除することで、柄構成に不要な箇所の糸を取り除いている。
【産業上の利用可能性】
【００３２】
本発明は、ブラジャー、ショーツ、キャミソール等の女性用下着やアウターを始めとする各種衣料に好適に利用できる。
【図面の簡単な説明】
【００３３】
【図１】本発明の経編レース地の１実施例を示す拡大平面図である。
【図２】同上の経編レース地のラッピング状態を示す組織図である。
【図３】同上の経編レース地の編組織図である。
【図４】本発明の経編レース地の他の実施例を示す編組織図である。
【図５】特殊浮柄用糸と保持用糸のラッピング状態を示す組織図である。
【図６】本発明の経編レース地のショーツでの使用例を示す略示斜視図である。
【図７】本発明の経編レース地のブラジャーでの使用例を示す略示斜視図である。
【図８】従来の技術に基づく経編レース地のラッピング状態を示す組織図である。
【図９】同上の経編レース地の編組織図である。
【図１０】従来の技術に基づく他の経編レース地の編組織図である。
【符号の説明】
【００３４】
Ａ…経編レース地、１…地糸、２…浮柄糸、３…特殊浮柄用糸、４…保持用糸、５…特殊浮柄、６…通常浮柄、７…地糸のシンカーループ、８…特殊浮柄部分、９…遊離部分、１０…通常浮柄部分、１１…ショーツ前身頃部、１２…ショーツ後身頃部、１３…ブラジャーカップ部。
【要約】
【課題】地組織に編み込まれない柄糸を経編レース地表側に配することで、今までにないライン状の浮柄を設けた、意匠性に優れる経編レース地を提供するものである。
【解決手段】地組織より経編レース地表側に配される特殊浮柄用糸３と、特殊浮柄用糸３を経編レース地に保持する役割の保持用糸４からなる特殊浮柄５をライン状に設けた経編レース地であって、保持用糸４が特殊浮柄用糸３より経編レース地表側に配され地組織に編み込まれて特殊浮柄用糸３を押さえつけることで、特殊浮柄用糸３は地組織に編込まれずに経編レース地に保持される。
【選択図】図３【図１】
0004181623.tif 000002
【図２】
0004181623.tif 000003
【図３】
0004181623.tif 000004
【図４】
0004181623.tif 000005
【図５】
0004181623.tif 000006
【図６】
0004181623.tif 000007
【図７】
0004181623.tif 000008
【図８】
0004181623.tif 000009
【図９】
0004181623.tif 000010
【図１０】
0004181623.tif 000011